(57)【要約】【課題】スイッチプレートで構成される複数のフェースプレート部材を共通の平面を形成して容易に取付けることができるとともに、フェースプレート部材の交換を容易に行えるエレベーター用かご操作盤を得る。【解決手段】複数のスイッチプレート１と、複数のスイッチプレート１を共通の平面を形成して着脱自在に取付ける複数のスイッチプレート１に共通の補強用部材７と、スイッチプレート１と補強用部材７との間に設けられスイッチプレート１の開口部Ｗから押ボタン部２ａを露出するボタン基板２とを備え、複数のスイッチプレート１に補強用部材７およびボタン基板２との位置を規制する位置決めピン１１をそれぞれ一体に設けた。【選択図】図１
2005170521.tif 000002
【特許請求の範囲】
【請求項１】
複数のフェースプレート部材と、前記複数のフェースプレート部材を共通の平面を形成して着脱自在に取付ける前記複数のフェースプレート部材に共通の補強用部材と、前記フェースプレート部材と前記補強用部材との間に設けられ前記フェースプレート部材の開口部から押ボタン部を露出するボタン基板とを備え、前記複数のフェースプレート部材に前記補強用部材および前記ボタン基板との位置を規制する位置規制部材をそれぞれ一体に設けたことを特徴とするエレベーター用かご操作盤。
【請求項２】
前記複数のフェースプレート部材に前記補強用部材および前記ボタン基板との位置を規制するためのピン状位置規制部材をそれぞれ一体に設けるとともに、前記補強用部材および前記ボタン基板に前記ピン状位置規制部材に嵌合する穴部をそれぞれ設けたことを特徴とする請求項１に記載のエレベーター用かご操作盤。
【請求項３】
前記複数のフェースプレート部材に前記着脱自在に係合する位置規制用爪部をそれぞれ一体に設けたことを特徴とする請求項１または請求項２に記載のエレベーター用かご操作盤。
【発明の詳細な説明】
【技術分野】
【０００１】
この発明は、フェースプレート部材で構成される複数のスイッチプレートと押ボタンが設けられたボタン基板とそれらを支える補強用部材とで形成されるエレベーター用かご操作盤に関するものである。
【背景技術】
【０００２】
従来のエレベーター用かご操作盤では、フェースプレート部材で構成される複数のスイッチプレートを取付けるとき、複数のスイッチプレートを連結部材で位置決めした状態で固定して互いに連結するものであった（例えば、特許文献１参照）。
【０００３】
この特許文献１のエレベーター用かご操作盤において、複数のスイッチプレートを連結させて取付けるには、連結部材を用いてスイッチプレート単体毎に固定させなければならない。
また、複数の中の１つを交換したい場合、スイッチプレート自体にも位置決め用のピンと穴があり連結されているため、全て解体させなければならなく作業性が悪かった。
【０００４】
【特許文献１】特開平１０−８７２００号公報
【発明の開示】
【発明が解決しようとする課題】
【０００５】
この発明は、複数のフェースプレート部材を共通の平面を形成して容易に取付けることができるとともに、フェースプレート部材の交換を容易に行えるエレベーター用かご操作盤を得ようとするものである。
【課題を解決するための手段】
【０００６】
この発明に係るエレベーター用かご操作盤においては、複数のフェースプレート部材と、前記複数のフェースプレート部材を共通の平面を形成して着脱自在に取付ける前記複数のフェースプレート部材に共通の補強用部材と、前記フェースプレート部材と前記補強用部材との間に設けられ前記フェースプレート部材の開口部から押ボタン部を露出するボタン基板とを備え、前記複数のフェースプレート部材に前記補強用部材および前記ボタン基板との位置を規制する位置規制部材をそれぞれ一体に設けたものである。
【発明の効果】
【０００７】
この発明によれば、複数のフェースプレート部材を共通の平面を形成して容易に取付けることができるとともに、フェースプレート部材の交換を容易に行えるエレベーター用かご操作盤を得ることができる。
【発明を実施するための最良の形態】
【０００８】
実施の形態１．
この発明による実施の形態１を図１から図５までについて説明する。図１はこの発明による実施の形態におけるエレベーター用かご操作盤の構成を示す正面図である。図２はこの発明による実施の形態におけるボタン基板の構成を示す正面図である。図３はこの発明による実施の形態における補強用部材の構成を示す正面図である。図４はこの発明による実施の形態におけるスイッチプレートとボタン基板と補強用部材とを取付けた状態を示す側面図である。図５はこの発明による実施の形態におけるスイッチプレートの構成を示す斜視図である。
【０００９】
図１は、この発明に係るエレベーター用かご操作盤についての一実施の形態を示すものである。
図１において、フェースプレート部材で構成される複数のスイッチプレート１は並設されて同一平面を形成し操作盤面を構成している。行先ボタンとしての押ボタン２ａはスイッチプレート１で構成された操作盤面から露出している。また、スイッチプレート１で構成された操作盤面と同一盤面には、開ボタン３および閉ボタン４が設けられている。
【００１０】
図２は、押ボタン２ａが設けられたボタン基板２を示している。ボタン基板２には位置決め用の穴８が設けられている。
【００１１】
図３は、補強用部材７を示し、位置決め用の穴９およびスイッチプレート１との取付け用の穴１０が設けられている。
【００１２】
図４は、スイッチプレート１とボタン基板２と補強用部材７を取付けた状態を示している。スイッチプレート１には、位置決め用のピン１１および補強用部材７との取付け用のツメ１２が設けられている。そして、スイッチプレート１には、開口部Ｗが設けられ、ボタン基板２に設けられた押ボタン２ａがスイッチプレート１で構成された操作盤面から露出する。
【００１３】
図５は、スイッチプレート１の斜視図を示すものである。スイッチプレート１には、位置決め用のピン１１および補強用部材７との取付け用のツメ１２が設けられ、また、開口部Ｗが設けられている。そして、スイッチプレート１の側壁１ａは単なる平坦面を形成するものであって、ピンまたは穴の類は設けられていない。
そして、スイッチプレート１の位置決め用のピン１１は、図４に示すように、ボタン基板２の位置決め用の穴８および補強用部材７の位置決め用の穴９と嵌合し、相互位置が確実に規制される。また、スイッチプレート１のツメ１２は、図４に示すように、補強用部材７の取付け用の穴１０と着脱自在に係合し、その相互係合状態において相互の位置決めをより確実にする。
【００１４】
この実施の形態に係るエレベーター用かご操作盤においては、図４の如く、ボタン基板２の位置決め用の穴８と補強用部材７の位置決め用の穴９に対してスイッチプレートの位置決め用のピン１１を嵌め込み取付ければ、位置が固定されるため、ずれて取付くことはない。したがって、複数のスイッチプレート１を連結させても継ぎ目部での段差ができることはない。また、スイッチプレート１とボタン基板２の位置も固定されるため、スイッチプレート１に設けてあるボタン穴としての開口部Ｗとボタン２ａの隙間も常時一定となりボタン２ａの常時ＯＮ故障もない。
【００１５】
また、スイッチプレート１とボタン基板２と補強用部材７とで位置決めを可能としたことにより、従来装置においてスイッチプレート１の側壁１ａに設けられていた位置決め用のピンは不要となり図５のように側壁１ａにピンが無い状態でよくなる。よって、スイッチプレート自体が連結されることがないため、スイッチプレート１のツメ１２を補強用部材７から外すだけで容易にスイッチプレート１の脱着が可能となる。それにより、例えば中央部にあるスイッチプレート１を交換したい場合でも、複数のスイッチプレート１を全て解体させる必要がなくなる。
【００１６】
この発明は、以上説明したような構成になっており、スイッチプレート１に位置決め用のピン１１を設け、押ボタン２ａが設けられたボタン基板２とそれらを支える補強用部材７に位置決め用の穴９を設けることにより、それぞれの位置が固定されて取付くため、スイッチプレート１自体の位置決め用のピンと穴と連結部材を廃止しても継ぎ目部の段差がない意匠でかつ取付け及びメンテナンス時等での交換の作業性が向上する。
これにより、複数のスイッチプレートを固定していた連結部材を使用することなく表面の継ぎ目部の段差がなくなる。また、スイッチプレート１とボタン基板２の位置が固定されることによりスイッチプレートに１設けてある開口部Ｗからなるボタン穴とボタン２ａとの隙間が常時一定となるため、ボタン２ａの常時ＯＮ故障がなくなる。
【００１７】
この発明による実施の形態によれば、スイッチプレート１で構成される複数のフェースプレート部材と、前記スイッチプレート１で構成される複数のフェースプレート部材を共通の平面を形成して着脱自在に取付ける前記スイッチプレート１で構成される複数のフェースプレート部材に共通の補強用部材７と、前記スイッチプレート１で構成されるフェースプレート部材と前記補強用部材７との間に設けられ前記スイッチプレート１で構成されるフェースプレート部材の開口部Ｗから押ボタン部２ａを露出するボタン基板２とを備え、前記スイッチプレート１で構成される複数のフェースプレート部材に前記補強用部材７および前記ボタン基板２との位置を規制するピン１１からなる位置規制部材をそれぞれ一体に設けたので、複数のフェースプレート部材を共通の平面を形成して容易に取付けることができるとともに、フェースプレート部材の交換を容易に行えるエレベーター用かご操作盤を得ることができる。
【００１８】
また、この発明による実施の形態によれば、前項の構成において、前記スイッチプレート１で構成される複数のフェースプレート部材に前記補強用部材７および前記ボタン基板２との位置を規制するためのピン１１からなるピン状位置規制部材をそれぞれ一体に設けるとともに、前記補強用部材７および前記ボタン基板２に前記ピン１１からなるピン状位置規制部材に嵌合する位置決め用の穴９，８からなる穴部をそれぞれ設けたので、複数のフェースプレート部材を共通の平面を形成して容易に取付けることができるとともに、フェースプレート部材の交換を容易に行えるとともに、位置規制を的確に行えるエレベーター用かご操作盤を得ることができる。
【００１９】
さらに、この発明による実施の形態によれば、前項の構成において、前記スイッチプレート１で構成される複数のフェースプレート部材に設けられた取付け用の穴１０と着脱自在に係合する取付け用のツメ１２からなる位置規制用爪部をそれぞれ一体に設けたので、複数のフェースプレート部材を共通の平面を形成して容易に取付けることができるとともに、フェースプレート部材の交換を容易に行えるとともに、位置規制を一層的確に行えるエレベーター用かご操作盤を得ることができる。
【図面の簡単な説明】
【００２０】
【図１】この発明による実施の形態におけるエレベーター用かご操作盤の構成を示す正面図である。
【図２】この発明による実施の形態におけるボタン基板の構成を示す正面図である。
【図３】この発明による実施の形態における補強用部材の構成を示す正面図である。
【図４】この発明による実施の形態におけるスイッチプレートとボタン基板と補強用部材とを取付けた状態を示す側面図である。
【図５】この発明による実施の形態におけるスイッチプレートの構成を示す斜視図である。
【符号の説明】
【００２１】
１  フェースプレート部材を構成するスイッチプレート、２  ボタン基板、２ａ  行先ボタンとしての押ボタン、３  開ボタン、４  閉ボタン、７  補強用部材、８，９  位置決め用穴、１０  取付け用穴、１１  位置決め用ピン、１２  取付け用ツメ。
【図１】
2005170521.tif 000003
【図２】
2005170521.tif 000004
【図３】
2005170521.tif 000005
【図４】
2005170521.tif 000006
【図５】
2005170521.tif 000007